(57)【特許請求の範囲】
【請求項１】
装着した際に装着者の腹部中央に位置するウェストボタンと、ウェストボタンを通すボタンホールと、ベルト通しとを有するウェスト締め付け衣服を装着するに際し、長尺な本体の先端にフック部を設けた装着用長尺物を使用するウェスト締め付け衣服の装着方法であって、
ボタンホールの側のベルト通しにフック部及び本体を通しながら、フック部及び本体をボタンホールに通した上で、フック部をウェストボタンに引っ掛け、
本体のフック部とは反対側の端部を、ウェストボタンの側のベルト通しに通し、その反対側の端部を、中央側に向けて引っ張りながら、ウェストボタンをボタンホールに嵌めることを特徴とするウェスト締め付け衣服の装着方法。
【請求項２】
請求項１のウェスト締め付け衣服の装着方法に使用される装着用長尺物。
【請求項３】
ウェスト締め付け衣服を販売する店舗であって、請求項１のウェスト締め付け衣服の装着方法に使用される装着用長尺物を、顧客が試着の際に使用することが可能な状態で備えていることを特徴とするウェスト締め付け衣服販売店舗。
【請求項４】
前記装着用長尺物は、販売されるウェスト締め付け衣服の陳列箇所の付近に備えられていることを特徴とする請求項３記載のウェスト締め付け衣服販売店舗。
【請求項５】
前記装着用長尺物は、ウェスト締め付け衣服の試着室内に備えられていることを特徴とする請求項３記載のウェスト締め付け衣服販売店舗。
【請求項６】
前記装着用長尺物が備えられた箇所の付近には、その装着用長尺物の使用方法を示した表示部が設けられていることを特徴とする請求項３乃至５いずれかに記載のウェスト締め付け衣服販売店舗。
【請求項７】
ウェスト締め付け衣服を販売する店舗であって、請求項１のウェスト締め付け衣服の装着方法に使用される装着用長尺物を販売用として陳列する陳列具を備えており、この陳列具は、ウェスト締め付け衣服の陳列具の付近に設けられていることを特徴とするウェスト締め付け衣服販売店舗。
【発明の詳細な説明】
【技術分野】
【０００１】
本願の発明は、ジーンズ、ズボン、スラックス、スカートのようなウェスト締め付け衣服を装着する技術に関するものである。
【背景技術】
【０００２】
ジーンズ、ズボン、スラックス、スカートのようなウェストで締め付けて装着するタイプの衣服（以下、単にウェスト衣服）が盛んに製造され、販売されている。本願発明は、このうち、ウェストサイズの小さい衣服を無理矢理装着するような場合に、好適に使用されるツールに関する。
現在、ジーンズやスラックス等のウェスト衣服の分野では、若者を中心として、かなりタイトなものに人気が集まっている。足やウェストのラインを強調し、スレンダーな感じを出すため、足やウェストに密着したデザインのものが流行している。
【発明の開示】
【発明が解決しようとする課題】
【０００３】
このようなタイトなウェスト衣服のうち、気に入ったものを店舗で見つけて購入しようとした場合、試着室で試着する場合が多い。この際、ふくろはぎや太ももは入っても、ウェストが入らない（ボタンやフックなどが締められない）ため、購入をあきらめてしまう場合が多い。また、以前に着ていたウェスト衣服が、太ってしまった等の理由から入らなくなってしまうこともある。
本願の発明は、かかる課題を解決するためになされたものであり、ウェストサイズの小さいウェスト衣服を無理矢理装着するような場合に好適に使用されるツールを提供する技術的意義を有する。
【課題を解決するための手段】
【０００４】
上記課題を解決するため、本願の請求項１記載の発明は、装着した際に装着者の腹部中央に位置するウェストボタンと、ウェストボタンを通すボタンホールと、ベルト通しとを有するウェスト締め付け衣服を装着するに際し、長尺な本体の先端にフック部を設けた装着用長尺物を使用するウェスト締め付け衣服の装着方法であって、
ボタンホールの側のベルト通しにフック部及び本体を通しながら、フック部及び本体をボタンホールに通した上で、フック部をウェストボタンに引っ掛け、
本体のフック部とは反対側の端部を、ウェストボタンの側のベルト通しに通し、その反対側の端部を、中央側に向けて引っ張りながら、ウェストボタンをボタンホールに嵌めるという構成を有する。
また、上記課題を解決するため、請求項２記載の発明は、請求項１のウェスト締め付け衣服の装着方法に使用される装着用長尺物であるという構成を有する。
また、上記課題を解決するため、請求項３記載の発明は、ウェスト締め付け衣服を販売する店舗であって、請求項１のウェスト締め付け衣服の装着方法に使用される装着用長尺物を、顧客が試着の際に使用することが可能な状態で備えているという構成を有する。
また、上記課題を解決するため、請求項４記載の発明は、前記請求項３の構成において、前記装着用長尺物は、販売されるウェスト締め付け衣服の陳列箇所の付近に備えられているという構成を有する。
また、上記課題を解決するため、請求項５記載の発明は、前記請求項３の構成において、前記装着用長尺物は、ウェスト締め付け衣服の試着室内に備えられているという構成を有する。
また、上記課題を解決するため、請求項６記載の発明は、前記請求項３乃至５いずれかの構成において、前記装着用長尺物が備えられた箇所の付近には、その装着用長尺物の使用方法を示した表示部が設けられているという構成を有する。
また、上記課題を解決するため、請求項７記載の発明は、ウェスト締め付け衣服を販売する店舗であって、請求項１のウェスト締め付け衣服の装着方法に使用される装着用長尺物を販売用として陳列する陳列具を備えており、この陳列具は、ウェスト締め付け衣服の陳列具の付近に設けられているという構成を有する。
【発明の効果】
【０００５】
以下に説明する通り、本願の請求項１又は２記載の発明によれば、ウェストサイズのきついウェスト衣服であっても容易に装着することができる。
また、請求項３乃至６いずれかに２記載の発明によれば、顧客にとっては、気に入ったウェスト衣服があってもウェストが入らないために諦めざるを得ないようなことがなく、店舗にとっては、諦められていたウェスト衣服が売れるの売上アップにつながる。
また、請求項７記載の発明によれば、ウェスト締め付け衣服の売上に加え、装着用長尺物の売上も加わるので、店舗全体の利益が向上する。また、装着用長尺物がウェスト締め付け衣服に近い場所に陳列されるので、装着用長尺物をついでに買っている可能性が高く、相乗効果が見込める。
【発明を実施するための最良の形態】
【０００６】
以下、本願発明を実施するための最良の形態（以下、実施形態）について説明する。
図１は、実施形態のウェスト衣服装着用長尺物（以下、単に装着用長尺物）の概略図である。図１に示す装着用長尺物は、ベルト状の本体１と、本体１の一端に設けられたフック部２と、本体１の他端に設けられた握持部３とから主に構成されている。
【０００７】
本体１は、この実施形態ではビニール製である。本体１は、いわゆる二枚重ねの構造となっている。長尺なビニール材を長手方向に沿って折り曲げて重ねた長手方向の端部を固定するか、二枚のビニール材を重ねて長手方向の両端を固定することで製作される。本体１の表面には、図１に示すような装飾が施してある。装飾は、ペイント又は型押し等の方法で形成される。本体１内には、長手方向に沿って本体１の両端を結ぶようにしてワイヤー（１、２又は数本）が配設されると、補強の点で好適である。
【０００８】
本体１の幅は、ウェスト衣服のベルト通しに通せる範囲とされる。具体的には、０．５〜２ｃｍの範囲である。本体１の長さは、２０〜３０ｃｍ程度で良い。
フック部２は、装着するウェスト衣服のボタンに引っ掛けるためのものである。この場合のボタンとは、ウェスト衣服のウェスト部前側中央にあるもので、装着した際に腹部中央に位置するものである（以下、ウェストボタン）。
【０００９】
フック部２は、ウェストボタンの軸部に引っ掛けるループを形成するものである。輪の大きさは、ある程度可変となっている。フック部２は、両端が本体１の端部に固定されたループ状の紐２１と、紐２１を束ねて留めた留め具２２とによって構成されている。留め具２２は、紐２１の上を移動可能となっている。留め具２２を移動させることによりループの大きさが変えられるようになっている。
【００１０】
握持部３は、図１に示すようにＴ字状の部材である。握持部３は、硬質プラスチック製、金属製又は木製である。握持部３には、握持部３の幅を狭くしてベルト通しに通し易くする形状と、本実施形態のＴ字のような握持しやすい形状とを取りうるよう変形させることが可能になっている。
【００１１】
図２は、図１に示す握持部３の詳細構造を示す図であり、（１）は平面断面図、（２）は側面断面図である。
図１及び図２に示すように、握持部３は、本体１の長尺方向に沿った固定部３１と、固定部３１の先端に取り付けられた一対の可動部３２とから成っている。固定部３１の一端は、本体１の端部に固定されている。一対の可動部３２は、回転軸３３を介して固定部３１の他端にそれぞれ取り付けられている。
【００１２】
各回転軸３３には、被駆動ギア３３１が設けられている。被駆動ギア３３１に噛み合う駆動ギア３４が設けられている。駆動ギア３４は、一対の被駆動ギア３３１に挟み込まれるようにして設けられた板状である。駆動ギア３４は、固定部３１内に設けられており、本体１側の端部にコイルスプリング３５が設けられている。また、被駆動ギア３３１は突起３６を有しており、この突起３６に引っ掛かるようにしてストッパ３７が設けられている。ストッパ３７には、復帰バネ３８が設けられている。ストッパ３７は、固定部３１の外面から突出した部分を有し、操作可能となっている。また、被駆動ギア３３１にも、固定部３１の外面に突出した押しピン３９が設けられている。押しピン３９は、固定部３１の外面に長手方向に延びる溝を通して設けられており、溝に沿って移動可能である。
【００１３】
図２において、コイルスプリング３５の弾性に逆らうようにして押しピン３９を押すと、駆動ギア３４が前進し、駆動ギア３４に噛み合っている被駆動ギア３３１が回転する。これにより、一対の可動部３２も回転する。駆動ギア３４がある程度前進すると、突起３６にストッパ３７が引っ掛かった状態となり、係止される。この状態では、一対の可動部３２と固定部３１とかＴ字を成した状態となる。ストッパ３７を押して、係止を開放すると、コイルスプリング３５により、被駆動ギア３３１が戻る。これにより、一対の可動部３２も回転し、当初の長手方向に沿った状態に復帰する。
【００１４】
上記装着用長尺物の使用方法について図３〜図５を使用して説明する。図３〜図５は、図１に示す装着用長尺物の使用方法について示した概略図である。
図３〜図５は、一例として、ジーンズを装着する際の使用例について示している。まずジーンズに両足を通して履く。このままでは、ウェストがきついため、ウェストボタンをボタンホールに通すことができない。そこで、この装着用長尺物を使用する。
【００１５】
まず、図３に示すように、フック部２及び本体１をボタンホール４に通した上で、フック部２をウェストボタン５に引っ掛ける。留め具２２を移動させて、紐２１がウェストボタン５に確実に引っ掛かるようにする。その上で、ボタンホール４がある側（男性用のウェスト衣服であれば左側、女性用であれば右側）のベルト通し６に握持部３を通しながら、本体１をこのベルト通し６に通す。フック部２及び本体１を、ベルト通し６、ボタンホール４に順に通し、フック２をウェストボタン５に引っ掛ける手順でも良い。
【００１６】
次に、図４に示すように、握持部３をウェストボタン５側のベルト通し６に通し、このベルト通し６に本体１を通していく。そして、図５に示すように、押しピン３９を押して、一対の可動部３２と固定部３１とがＴ字を成すようにする。Ｔ字状にした握持部３を保持しながら、握持部３を中央側（内側）に向けてぐいっと引っ張るようにする。この結果、ウェストボタン５とボタンホール４とが互いに近づくように両側のボタン通し６が引っ張られ、ウェストボタン５をボタンホール４に嵌めることができる。ウェストボタン５とボタンホール４の部分とを単に引っ張っただけでは、嵌めることは難しいが、このように両側のベルト通し６の所に長尺物を引っ掛けて互いにベルト通し６が互いに近づくように引っ張ると、テコの原理が働くため、簡単に嵌めることができる。尚、ベルト通し６に握持部３及び本体１を通す向きとしては、外側から内側に向けてでも良い。
【００１７】
上述した装着用長尺物は、他の物との兼用が可能である。例えば、携帯電話用ストラップ、ウェスト衣服用のベルト等と兼用される構成が考えられる。
上記構成の装着用長尺物は、ウェスト衣服を販売する店舗（以下、ウェスト衣服店舗）が備え付けていると好適である。この点について、図６及び図７を使用して説明する。図６及び図７は、装着用長尺物を備えたウェスト衣服店舗の主要部の概略を示す斜視図である。
【００１８】
装着用長尺物は、ウェスト衣服店舗内において、販売する商品（ウェスト衣服）の付近に設けられると好適である。例えば、図６に示すように、商品であるウェスト衣服を並べて吊り下げたハンガーラック等の衣服陳列具７に備え付けられる。衣服陳列具７は側板７１を有し、そこに装着用長尺物１０が備えられている。装着用長尺物１０は、フック等に単に引っ掛けられているだけであり、店舗内の試着室でウェスト衣服を試着しようとする顧客が自由に手に取って使えるようになっている。装着用長尺物１０が備えられた箇所（本実施形態では、衣服陳列具７）又はその付近には、装着用長尺物の使用方法について解説した表示部８が設けられている。表示部８は、本実施形態ではイラストを含むポスターであるが、ディスプレイ装置を設けて静止画又は動画を表示する場合もある。
【００１９】
また、図７に示すように、装着用長尺部１０は、ウェスト衣服の試着室９内に設けられても好適である。試着室９内の壁面にフックが設けられており、そこに装着用長尺物１０が引っ掛けられている。また、壁面には、装着用長尺物の使用方法について示した表示部８が設けられている。尚、装着用長尺物１０が持ち帰られないよう、係留具を設けてもよい。係留具は、装着用長尺物の備え付け箇所と装着用長尺物とをつなぐものであり、伸縮可能なロープ（カールコード等）である。
【００２０】
図６において、ウェスト衣服店舗の販売員は、来店した顧客の色柄やデザインの好み等を訊きながら、あるウェスト衣服を勧める。この際、顧客が気に入った色柄やデザインのものがあっても、ウェストサイズがきつくても入らないと思われる場合、上記装着用長尺物の使用を勧める。販売員は、顧客に対して使用方法を説明し、試着室での試着に使用してもらう。顧客にとっては、気に入ったウェスト衣服があってもウェストが入らないために諦めざるを得ないようなことがなく、店舗にとっては、諦められていたウェスト衣服が売れるの売上アップにつながる。
【００２１】
このようにしてウェスト衣服を顧客が購入した場合、ウェスト衣服の装着のたびに装着用長尺物が必要になる。従って、装着用長尺物は一般に市販されることが必要で、ウェスト衣服店舗で併せて販売すると好適である。販売用の装着用長尺物の陳列箇所は、ウェスト衣服の陳列箇所の付近としておくことが好ましい。装着用長尺物の陳列具は、図６に示すような側板と横棒とから成るハンガーラックでもよく、陳列棚等でも良い。
また、外出や旅行等の際に装着用長尺物が必要になることも多く、装着用長尺物はバッグ等に入れて携帯されることを考慮する必要がある。即ち、小さくコンパクトに折り畳めるようにすることが好ましい。
【００２２】
尚、装着用長尺物のフック部２の構成としては、前述したものの他、通常のベルトのバックルに似た構成が採用されることもある。即ち、金属製、樹脂製又は木製の小さな環状（丸形又は角形）のものが採用されることもある。
また、握持部３があると操作がし易いが、必ずしも必要ではなく、単に端部を握って引っ張るだけでも装着は行える。
本願発明の装着用長尺物は、タイトなウェスト衣服を好む若者だけではなく、太ってしまった人が以前着用していたものを着ようとする場合は、勿論使用できる。
【図面の簡単な説明】
【００２３】
【図１】実施形態のウェスト衣服装着用長尺物（以下、単に装着用長尺物）の概略図である。
【図２】図１に示す握持部３の詳細構造を示す図であり、（１）は平面断面図、（２）は側面断面図である。
【図３】図１に示す装着用長尺物の使用方法について示した概略図である。
【図４】図１に示す装着用長尺物の使用方法について示した概略図である。
【図５】図１に示す装着用長尺物の使用方法について示した概略図である。
【図６】装着用長尺物を備えたウェスト衣服店舗の主要部の概略を示す斜視図である。
【図７】装着用長尺物を備えたウェスト衣服店舗の主要部の概略を示す斜視図である。
【符号の説明】
【００２４】
１  本体
２  フック部
３  握持部
４  ボタンホール
５  ウェストボタン
６  ベルト通し
【要約】
【課題】  ウェストサイズの小さいウェスト衣服を無理矢理装着するような場合に好適に使用されるツールを提供する。
【解決手段】  長尺な本体１の先端にフック部２を設けた装着用長尺物を使用する。ボタンホール４の側のベルト通し６にフック部２及び本体１を通しながら、フック部２及び本体１をボタンホール４に通した上で、フック部２をウェストボタン５に引っ掛ける。本体１のフック部２とは反対側の端部を、ウェストボタン５の側のベルト通し６に通し、その反対側の端部を、中央側に向けて引っ張りながら、ウェストボタン５をボタンホール４に嵌める。
【選択図】  図４
【図１】
0003542591.tif 000002
【図２】
0003542591.tif 000003
【図３】
0003542591.tif 000004
【図４】
0003542591.tif 000005
【図５】
0003542591.tif 000006
【図６】
0003542591.tif 000007
【図７】
0003542591.tif 000008